【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
吊り足場用パネルであって、当該吊り足場用パネルは、矩形状の平面を形成する足場基底部と、少なくとも当該足場基底部の相互に対向する２つの辺部に配置されている手摺部と当該足場基底部の少なくとも一部と当該吊り足場用パネルの上部空間部に於いて、橋脚、梁、鉄骨、壁面等に固定的に設けられている鎖止部との間に張設されて、当該足場基底部を所望の空中部位に保持する為の親チェ−ンとを含み、且つ、当該足場基底部は、当該複数個の吊り足場用パネル同士が長尺状に相互に連結されて吊り足場回廊を形成するに際しての当該連結方向に沿って相互に平行に配置される複数本の親管と、当該親管の当該配列方向と直交する方向で、相互に平行に配置される複数個のコロバシ管と、当該親管と当該コロバシ管とにより形成された格子状の当該足場基底部の基板部上に当該親管の配列方向と同一方向に相互に平行に（要すれば相互に隣接して）配置されている複数枚の当該配列方向に長尺軸を有する矩形状平面部からなる底板部とから構成されており、更に、当該親管には、当該親管の長尺軸方向に沿って、複数個の第１の凹陥部が形成されており、又、当該コロバシ管には、当該コロバシ管の長尺軸方向に沿って、当該第１の凹陥部と嵌合し得る第２の凹陥部が設けられており、且つ、当該親管に於ける当該第１の凹陥部が形成されている表面を除く表面部に、当該親管の長尺軸方向に沿って、当該チェーンの一端部が係合される複数個の親管吊ピースが設けられている事を特徴とする吊り足場用パネル。
【請求項２】
当該親管の少なくとも一方の長尺方向端部には、隣接して連結される他の吊り足場用パネルに於ける当該親管の一方の長尺方向端部と嵌合する親さや管が着脱自在に或いは固定的に取り付けられている特徴とする請求項１に記載の吊り足場用パネル。
【請求項３】
当該コロバシ管の少なくとも一方の長尺方向端部には、隣接して連結される他の吊り足場用パネルに於ける当該コロバシ管の一方の長尺方向端部と嵌合するコロバシさや管が着脱自在に或いは固定的に取り付けられている特徴とする請求項１又は２に記載の吊り足場用パネル。
【請求項４】
請求項１に記載された複数本の親管、複数本のコロバシ管、複数本の親さや管、複数枚の底板部、複数本の手摺パイプ、複数本の手摺柱、複数個の手摺柱支持部、複数本の親チェ−ンを含む吊り足場用パネルユニット。
【請求項５】
予め準備された適宜の足場上、若しくは、本発明に係る、既に組立完了状態にある吊り足場用パネル（以下単に「基礎足場」と言う）上に於いて、少なくとも２本の親管を、新たに組み立てる吊り足場用パネル（以下、隣接吊り足場用パネルという）を延長形成させたい方向に沿って互いに平行に所定の間隔を開けて配置する工程１、
当該親管の第１の凹陥部の一部に、当該親管と直交する方向に、１本若しくは複数本のコロバシ管を、当該コロバシ管の第２の凹陥部を相互に嵌合する様に嵌め合わせて、当該隣接吊り足場用パネルの足場基底部となる仮組立枠体を形成する工程２、
当該仮組立枠体に於ける、当該親管の、当該仮組立枠体の前進進行方向側にある先端部（以下親管先端部という）から当該基礎足場側に向けて数えて１個目若しくは複数個目の、当該第１の凹陥部（１）とそれより当該基礎足場側に存在する他の第１の凹陥部（０）との間に存在する当該親管の表面部と当該吊り足場用パネルの上方空間部に設けられた適宜の係止具との間に、当該仮組立枠体を後述する様に、空間中に延展させる為に当該仮組立枠体を前進させる為の機能を有すると共に当該仮組立枠体の重量を支える為の第１のロープを張設する工程３、
当該仮組立枠体を、当該吊り足場用パネルを新たに延長形成させたい方向と平行な方向に沿って、所定の距離に亘って、適宜の移動補助手段を使用して、一度に、若しくは段階的に徐々に所定の距離だけ前進させ、少なくとも、当該親管の当該ロープが取り付けられている部分若しくはその近傍部分が当該基礎足場の端縁部から空間に延展される様に移動させる工程４、
当該ロープが取り付けられている当該親管の表面部分よりも当該基礎足場の端縁部方向側に存在する当該親管の当該第１の凹陥部の内、当該ロープが取り付けられている当該親管の表面部分に最も接近している当該第１の凹陥部に、未使用の当該コロバシ管をその第２の凹陥部が当該親管の当該第１の凹陥部と嵌合する様に配置固定する工程５、
当該仮組立枠体を、当該吊り足場用パネルを新たに延長形成させたい方向に沿って、更に所定の距離移動させるか、移動させないで、当該コロバシ管が配置固定されたばかりの当該親管の当該第１の凹陥部の当該基礎足場の端縁部方向側に存在する当該親管の別の表面部分、と当該吊り足場用パネルの上方空間部に設けられた適宜の係止具との間に第１のチェーンを張設する工程６、
その後、当該仮組立枠体を、当該吊り足場用パネルを新たに延長形成させたい方向に沿って、更に所定の距離移動させるか、移動させないで、当該ロープが係合されている当該親管に於ける当該表面部から当該親管の当該先端部方向に存在する未使用の当該第１の凹陥部の内で、当該ロープが係合されている当該親管に於ける当該表面部に最も接近している当該第１の凹陥部内に未使用の当該コロバシ管をその第２の凹陥部が当該親管の当該第１の凹陥部と嵌合する様に配置固定する工程７、
更に、当該仮組立枠体を、当該吊り足場用パネルを新たに延長形成させたい方向に沿って、更に所定の距離だけ移動させるか、移動させないで、当該工程７に於いて、当該コロバシ管が嵌入されて配置固定された当該第１の凹陥部に接続している表面部分の内で、当該親管先端側部分側に存在している当該親管の表面部分の内で該コロバシ管が嵌入されて配置固定された当該第１の凹陥部に最も近接している当該表面部分と、当該吊り足場用パネルの上方空間部に設けられた適宜の係止具との間に第３のチェーンを張設する工程８、
更に、当該仮組立枠体を、当該吊り足場用パネルを新たに延長形成させたい方向に沿って、更に所定の距離だけ移動させるか、移動させないで、当該第３のチェーンが取り付けられている当該親管に於ける当該表面部分よりも当該親管先端部分側に存在する当該第１の凹陥部のうちで当該第３のチェーンに最接近している当該未使用の第１の凹陥部内に、未使用の当該コロバシ管をその第２の凹陥部が当該親管の当該第１の凹陥部と嵌合する様に配置固定する工程９、
更に、当該工程９に於いて、当該コロバシ管が嵌入されて配置固定された当該第１の凹陥部に接続している表面部分の内で、当該親管先端側部分側に存在している当該親管の表面部分の内で該コロバシ管が嵌入されて配置固定された当該第１の凹陥部に最も近接している当該表面部分と、当該吊り足場用パネルの上方空間部に設けられた適宜の係止具との間に第４のチェーンを張設する工程１０、
その後、当該仮組立枠体を、当該吊り足場用パネルを新たに延長形成させたい方向に沿って、更に所定の距離移動させるか、移動させないで、新たに張設されたチェーンが係合されている当該親管の当該表面部から当該親管先端部迄の間に当該コロバシ管が嵌入されていない当該未使用の第１の凹陥部の存在が無くなる迄、上記工程９及び工程１０を繰り返す工程１１、
当該工程１０或いは当該工程１１が終了後、当該新たな吊り足場用パネルの基礎部分となる当該仮組立枠体を吊り下がり状態で移動或いは摺動させて、当該仮組立枠体に於ける当該親管の当該基礎足場側に設けられている開口部を、当該基礎足場の先端縁部に設けられている、当該親管の当該開口部に嵌合しうる部材と嵌合させて双方を固定しょりする工程１２、
当該仮組立枠体表面部に、複数枚の長尺状の底板部を、当該親管の配列方向と平行都なる様に配列搭載し、適宜の固定手段により、当該各底板部を当該コロバシ管に接合固定すると共に、当該各底板部の長尺方向の一端部に設けられた底板継ピース（突起部）を当該基礎足場の先端縁部に設けられている孔部に挿入して固定する工程１３
当該複数個のコロバシ管の両端部に適宜の手摺柱支持部を取り付け、当該手摺柱支持部に係合された手摺柱の少なくとも一本の水平に配置される手摺部を適宜のクランプ手段を介して取り付ける工程１４
とから構成されている事を特徴とする吊り足場用パネルの施工方法。